(57)【要約】【課題】アンテナ構造体が金属等の電波遮蔽材料で形成された装置本体ケースと裏蓋で囲まれている空間内に収納されている場合でも十分な受信感度を向上することのできる受信装置及び電波時計を提供する。【解決手段】コア８１とこのコア８１に巻回されたコイル８２とを備えるアンテナ構造体８の両端部８１ａ，８１ｂを、風防ガラス５に近接して設けられている文字板１１に形成された挿入部１１ｂに挿入する構成とし、外部から侵入する電波を風防ガラス５、文字板１１をそれぞれ介して、両端部８１ａ，８１ｂ側からコア８１に向かって侵入させるように構成した。【選択図】図２
2008298585.tif 000002
【特許請求の範囲】
【請求項１】
コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性カバー部材と、
この非導電性カバー部材に近接して設けられている近接部材とを備え、
前記コアの両端部を前記近接部材側に折り曲げ、この折り曲げられた折り曲げ部を、前記近接部材に形成された挿入部内に挿入したことを特徴とする受信装置。
【請求項２】
コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板とを備え、
前記コアの両端部を前記文字板側に折り曲げ、この折り曲げられた折り曲げ部を、前記文字板に形成された挿入部内に挿入したことを特徴とする受信装置。
【請求項３】
コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板と、この文字板の外周に設けられている見切部材とを備え、
前記コアの両端部を前記見切部材側に折り曲げ、この折り曲げられた折り曲げ部を、前記見切部材に形成された挿入部内に挿入したことを特徴とする受信装置。
【請求項４】
前記近接部材における前記非導電性カバー部材に対向する側の一部に設けられた少なくとも２つの磁性部材を更に備えており、
前記コアの両端部は、前記挿入部を介して、前記少なくとも２つの磁性部材に磁気的に接触していることを特徴とする請求項１に記載の受信装置。
【請求項５】
前記文字板における前記非導電性風防用透明部材に対向する側の一部に設けられた少なくとも２つの磁性部材を更に備えており、
前記コアの両端部は、前記挿入部を介して、前記少なくとも２つの磁性部材に磁気的に接触していることを特徴とする請求項２に記載の受信装置。
【請求項６】
前記磁性部材は、前記文字板上の外周に設けられた複数の時字部材であることを特徴とする請求項５に記載の受信装置。
【請求項７】
請求項１から請求項６のいずれか一項に記載の受信装置と、
前記筒状の導電性装置本体ケースを使用者の身体の一部に装着するバンドと、
を備えていることを特徴とする電波時計。
【請求項８】
コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性カバー部材と、
この非導電性カバー部材に近接して設けられている近接部材とを備え、
前記コアの両端部を前記近接部材側に折り曲げ、この折り曲げられた折り曲げ部を、前記近接部材のうち、前記導電性板部材側の面に当接させていることを特徴とする受信装置。
【請求項９】
コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板とを備え、
前記コアの両端部を前記文字板側に折り曲げ、この折り曲げられた折り曲げ部を、前記文字板のうち、前記導電性板部材側の面に当接させていることを特徴とする受信装置。
【請求項１０】
コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板と、この文字板の外周に設けられている見切部材とを備え、
前記コアの両端部を前記見切部材側に折り曲げ、この折り曲げられた折り曲げ部を、前記見切部材のうち、前記導電性板部材側の面に当接させていることを特徴とする受信装置。
【請求項１１】
前記近接部材における前記非導電性カバー部材に対向する側の一部に設けられた少なくとも２つの磁性部材を更に備えており、
前記コアの両端部は、前記非導電性カバー部材を介して、前記少なくとも２つの磁性部材と対向して配置されていることを特徴とする請求項８に記載の受信装置。
【請求項１２】
前記文字板における前記非導電性風防用透明部材に対向する側の一部に設けられた少なくとも２つの磁性部材を更に備えており、
前記コアの両端部は、前記挿入部を介して、前記少なくとも２つの磁性部材に磁気的に接触していることを特徴とする請求項９に記載の受信装置。
【請求項１３】
前記磁性部材は、前記文字板上の外周に設けられた複数の時字部材であることを特徴とする請求項１２に記載の受信装置。
【請求項１４】
請求項８から請求項１３のいずれか一項に記載の受信装置と、
前記筒状の導電性装置本体ケースを使用者の身体の一部に装着するバンドと、
を備えていることを特徴とする電波時計。
【発明の詳細な説明】
【技術分野】
【０００１】
本発明は、受信装置及び電波時計に関する。
【背景技術】
【０００２】
従来、コアとコアに巻回されたコイルとを有し時刻情報を含む標準電波を受信するアンテナ構造体を備えた受信装置、及びそのような受信装置を組み込んだ電波時計その他の電子機器が知られている。このような電波時計その他の電子機器は、アンテナ構造体により受信された標準電波に基づいて自動的に現在時刻を修正する機能を有している。
【０００３】
このようなアンテナ構造体を備える受信装置及びこれを備える電波時計等では、アンテナ構造体を内蔵する筐体（例えば、時計の外ケース）を導電性の金属で形成すると、電波の流れ（磁束の流れ）が筐体によって遮蔽され、十分な受信感度が得られないとの問題がある。
この問題点を解消するために、アンテナ構造体を内蔵する筐体を金属で形成した場合でも、金属製の裏蓋に肉厚の薄い薄肉部をアンテナに対応させて形成することにより、金属製の筐体による電波（磁束）の遮蔽を軽減し、標準電波の受信性能を向上しようとする電波時計が知られている（例えば、特許文献１参照）。
【特許文献１】特開２００４−３４７５５２号
【発明の開示】
【発明が解決しようとする課題】
【０００４】
しかしながら、このような従来の受信装置及び電波時計等では、アンテナ構造体を薄肉部に対応させるとはいえ、金属製の裏蓋その他の筐体部分によって電波の流れ（磁束の流れ）が遮蔽される点を完全に解消することはできない。このため、十分な受信効率、受信感度を向上することが困難であるとの問題があった。
【０００５】
そこで、本発明は、上記課題を解決するためになされたものであり、アンテナ構造体が金属等の導電性装置本体ケース内に収納配置されている場合でも十分な受信感度を向上することのできる受信装置及び電波時計を提供することを目的としている。
【課題を解決するための手段】
【０００６】
この発明は、上記課題を解決するために、
請求項１に記載の発明は、コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性カバー部材と、
この非導電性カバー部材に近接して設けられている近接部材とを備え、
前記コアの両端部を前記近接部材側に折り曲げ、この折り曲げられた折り曲げ部を、前記近接部材に形成された挿入部内に挿入したことを特徴とする受信装置である。
【０００７】
請求項２に記載の発明は、コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板とを備え、
前記コアの両端部を前記文字板側に折り曲げ、この折り曲げられた折り曲げ部を、前記文字板に形成された挿入部内に挿入したことを特徴とする受信装置である。
【０００８】
請求項３に記載の発明は、コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板と、この文字板の外周に設けられている見切部材とを備え、
前記コアの両端部を前記見切部材側に折り曲げ、この折り曲げられた折り曲げ部を、前記見切部材に形成された挿入部内に挿入したことを特徴とする受信装置である。
【０００９】
請求項４に記載の発明は、前記近接部材における前記非導電性カバー部材に対向する側の一部に設けられた少なくとも２つの磁性部材を更に備えており、
前記コアの両端部は、前記挿入部を介して、前記少なくとも２つの磁性部材に磁気的に接触していることを特徴とする請求項１に記載の受信装置である。
【００１０】
請求項５に記載の発明は、前記文字板における前記非導電性風防用透明部材に対向する側の一部に設けられた少なくとも２つの磁性部材を更に備えており、
前記コアの両端部は、前記挿入部を介して、前記少なくとも２つの磁性部材に磁気的に接触していることを特徴とする請求項２に記載の受信装置である。
【００１１】
請求項６に記載の発明は、前記磁性部材は、前記文字板上の外周に設けられた複数の時字部材であることを特徴とする請求項５に記載の受信装置である。
【００１２】
請求項７に記載の発明は、請求項１から請求項６のいずれか一項に記載の受信装置と、
前記筒状の導電性装置本体ケースを使用者の身体の一部に装着するバンドと、
を備えていることを特徴とする電波時計である。
【００１３】
請求項８に記載の発明は、コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性カバー部材と、
この非導電性カバー部材に近接して設けられている近接部材とを備え、
前記コアの両端部を前記近接部材側に折り曲げ、この折り曲げられた折り曲げ部を、前記近接部材のうち、前記導電性板部材側の面に当接させていることを特徴とする受信装置である。
【００１４】
請求項９に記載の発明は、コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板とを備え、
前記コアの両端部を前記文字板側に折り曲げ、この折り曲げられた折り曲げ部を、前記文字板のうち、前記導電性板部材側の面に当接させていることを特徴とする受信装置である。
【００１５】
請求項１０に記載の発明は、コアとこのコアに巻回されたコイルとを備えるアンテナ構造体と、
このアンテナ構造体を収納配置する筒状の導電性装置本体ケースと、
この筒状の導電性装置本体ケースの一端を閉塞する導電性板部材と、
前記筒状の導電性装置本体ケースの他端を閉塞する非導電性風防用透明部材と、
この非導電性風防用透明部材に近接して設けられている文字板と、この文字板の外周に設けられている見切部材とを備え、
前記コアの両端部を前記見切部材側に折り曲げ、この折り曲げられた折り曲げ部を、前記見切部材のうち、前記導電性板部材側の面に当接させていることを特徴とする受信装置である。
【００１６】
請求項１１に記載の発明は、前記近接部材における前記非導電性カバー部材に対向する側の一部に設けられた少なくとも２つの磁性部材を更に備えており、
前記コアの両端部は、前記非導電性カバー部材を介して、前記少なくとも２つの磁性部材と対向して配置されていることを特徴とする請求項８に記載の受信装置である。
【００１７】
請求項１２に記載の発明は、前記文字板における前記非導電性風防用透明部材に対向する側の一部に設けられた少なくとも２つの磁性部材を更に備えており、
前記コアの両端部は、前記挿入部を介して、前記少なくとも２つの磁性部材に磁気的に接触していることを特徴とする請求項９に記載の受信装置である。
【００１８】
請求項１３に記載の発明は、前記磁性部材は、前記文字板上の外周に設けられた複数の時字部材であることを特徴とする請求項１２に記載の受信装置である。
【００１９】
請求項１４に記載の発明は、請求項８から請求項１３のいずれか一項に記載の受信装置と、
前記筒状の導電性装置本体ケースを使用者の身体の一部に装着するバンドと、
を備えていることを特徴とする電波時計である。
【発明の効果】
【００２０】
この発明によれば、風防ガラス等の非導電性カバー部材側に位置する文字板、見切部材等の近接部材に当接又は挿入されたアンテナ構造体のコアの端部からアンテナ構造体に電波が侵入するので、アンテナ構造体が金属等、電波を遮蔽する材料で形成されたケースに収納される場合でも、電波がケースによって遮蔽されることがない。このため、ケースを金属等で形成し、高級感のある外観とした場合でも、アンテナ構造体による電波の受信効率を高め、十分な受信感度を得ることができる。
【発明を実施するための最良の形態】
【００２１】
［第１の実施の形態］
先ず、図１から図６を参照しつつ、本発明に係る受信装置及び受信装置を備えた電波時計の第１の実施形態を説明する。なお、本実施形態では、電波時計として腕時計型の電波腕時計に受信装置を搭載する場合を例として説明する。
【００２２】
図１は、本実施形態に係る受信装置を備えた電波腕時計の概略構成を示す正面図である。また、図２は、図１のII−II線断面図であり、図３は、図１のIII−III線断面図であり、図４は、図１に示す電波腕時計の分解斜視図である。
【００２３】
図２及び図４に示すように、電波腕時計１００には、環状の短柱形状に形成された腕時計ケース（時計ケース）１が設けられている。腕時計ケース１は、ステンレスやチタン等の金属その他の導電性部材で形成された導電性装置本体ケースであり、内部が中空で、電波腕時計１００における表面側端部及び裏面側端部に開口部１ａ，１ｂを有している。
腕時計ケース１の図１における上下両端部、つまり時計の１２時方向側端部及び６時方向側端部には時計バンド２が取り付けられるバンド取付部３が形成されている。また、腕時計ケース１の外周部には、時刻合わせの指示などの種々の操作指示が入力される複数の操作ボタン４が設けられている。
【００２４】
この腕時計ケース１の表面側端部の開口部１ａには、非導電性の材料で形成された非導電性カバー部材または非導電性風防用透明部材としての風防ガラス５が開口部１ａを閉塞するように取り付けられており、また、腕時計ケース１の裏面側端部の開口部１ｂには、導電性板部材としての金属製の裏蓋６が開口部１ｂを閉塞するように防水リング１６を介して取り付けられている。
風防ガラス５を形成する非導電性の材料は、例えば電波の流れを遮蔽しない材料であるガラスである。
【００２５】
また、この腕時計ケース１の内部には、例えば樹脂等によって形成されたモジュールケース７が設けられている。モジュールケース７は、電波を遮蔽しない材料で形成されていることが好ましい。
モジュールケース７の内部には、時計ムーブメント（図示せず）、電波腕時計１００の各部に電力を供給するためのバッテリー（図示せず）、アンテナ構造体８、および図示しない受信回路等が設けられた回路基板９（図３参照）等、各種の電子部品が収納されている。
アンテナ構造体８は、保持部材１５を介してモジュールケース７内に配置されている。保持部材１５は、例えばクッション性を有する接着剤等であり、アンテナ構造体８のがたつきを防ぐとともに、アンテナ構造体８に加わる衝撃を緩和する緩衝部材としても機能する。
【００２６】
モジュールケース７と風防ガラス５との間には、腕時計ケース１の内周に沿って見切部材１０が配置されている。見切部材１０は、例えば樹脂等の非導電性部材で構成されている。
【００２７】
また、腕時計ケース１の内部には、風防ガラス５の裏面側（図２における下側の面）に対向して文字板１１が配置されている。文字板１１の周縁部は、モジュールケース７と見切部材１０との間に支持されている。実施形態において、文字板１１は樹脂等の非導電性部材で形成されており、カバー部材としての風防ガラス５に近接して設けられている近接部材である。
【００２８】
図５は、文字板１１とアンテナ構造体８との位置関係を分解して示す図であり、図６は、文字板１１とコア８１の端部８１ａ，８１ｂとの接触状態を示した要部の拡大断面図である。
図５に示すように、文字板１１の表面側（図２における上側の面）の周縁部には、時計の１時から１２時に対応する１２個の時字部材１１ａがほぼ等間隔に設けられている。
また、文字板１１の裏面側（図２において下側の面）であって、１時を示す時字部材１１ａ及び１１時を示す時字部材１１ａに対応する位置には、図２及び図６に示すように、時字部材１１ａの裏面側に到達する貫通孔形状の挿入部１１ｂがそれぞれ形成されている。
【００２９】
文字板１１のほぼ中央部には軸孔１２が形成されており、時計ムーブメントを構成する指針軸１３が軸孔１２を通して下方から上方に突出している。時計ムーブメントは、この指針軸１３に取り付けられ風防ガラス５と文字板１１との間に配置されている時針や分針等の指針１４を文字板１１の上方で運針させる。
【００３０】
アンテナ構造体８は、コア８１とこのコア８１に巻回されたコイル８２とを備えており、コア８１に電波が透過すると、コイル８２に誘起電流が発生するように構成されている。コイル８２の端部は、回路基板９上に設けられた接続端子９ａに接続されている。
本実施形態では、受信装置８０はこのアンテナ構造体８と近接部材である文字板１１とを備えている。
【００３１】
コア８１は、フェライト等の透磁率（magnetic permeability）（磁場または磁界の強さ H と磁束密度 B との間の関係を B = μ H で表わした時の比例定数 μをいう）または比透磁率（真空の透磁率 μ0 との比 μs=μ/μ0 をいう）が高い磁性材料から形成されている。なお、コア８１を形成する材料は、フェライトに限定されず、アモルファス合金等、アンテナのコア８１として十分に機能する性質を備えるものであれば、適用可能である。
また、コア８１は単層構造のものに限定されず、例えばアモルファス箔を複数積層した積層構造とするなど、複数の磁性材料から構成されていてもよい。
【００３２】
図１に示すように、コア８１は、全体が腕時計ケース１の内周面に沿ってほぼ円弧状に形成されている。
また、コア８１は、図２に示すように、コア８１の両端部８１ａ，８１ｂが風防ガラス５の設けられている側に向けて斜め上方に折り曲げられた構成となっている（図２及び図３参照）。なお、図３においては端部８１ａの側の形状のみを示す）。すなわち、コア８１は、図２に示すように、コイル８２が巻きつけられている棒状コア部８１Ａとこの棒状コア部８１Ａから風防ガラス５側に向けて斜め上方に折り曲げられた折り曲げ部８１Ｂとを備えている。
アンテナ構造体８は、図１及び図５に示すように、腕時計ケース１内における１２時側位置に配置されている。このアンテナ構造体８におけるコア８１の両端部８１ａ，８１ｂは、それぞれ１時を示す時字部材１１ａと１１時を示す時字部材１１ａに対応する文字板１１における挿入部１１ｂ内に挿入されており、図２及び図６に示すように、その両端部８１ａ，８１ｂの先端面は、時字部材１１ａの裏面に当接している。
【００３３】
このようにコア８１の両端部８１ａ，８１ｂは、文字板１１側に向き、このために、図２において矢印で示した電波の流れのように、鎖交磁界（磁束）が風防ガラス５側から入る方向およびこの方向とは逆の、風防ガラス５側へ出る方向が腕時計ケース１の内周面に対向する方向でなく、風防ガラス５及び文字板１１に対向する方向となっている。
【００３４】
次に、本実施形態の作用について説明する。
受信装置８０による標準電波受信時においては、電波の磁界成分が、電波を遮蔽しない材料によって形成された非導電性の風防ガラス５、文字板１１上に設けられている時字部材１１ａをそれぞれ透過して、文字板１１の挿入部１１ｂに挿入されたコア８１の一方側端部８１ａ（または８１ｂ）からアンテナ構造体８の一方の折り曲げ部８１Ｂに侵入し、更に棒状コア部８１Ａに侵入した後に、アンテナ構造体８の他方の折り曲げ部８１Ｂに侵入し、棒状コア部８１Ａを経て、コア８１の他方側端部８１ｂ（または８１ａ）へと通過することとなる。この通過の際に、棒状コア部８１Ａに巻回されたコイル８２に交流電流が誘導され（誘起電流）、これに伴ってコイル８２の両端に交流電圧が発生する。そして、この交流電圧がアナログ受信信号として図示しない受信回路に送られる。
そして、受信回路により、このアナログ受信信号について増幅、復調、デコード等の処理が行われ、デジタルの時刻データが取得される。電波腕時計１００は、取得された時刻データに基づいて、適宜現在時刻の修正を行う。
【００３５】
以上のように、本実施形態によれば、電波腕時計１００は、デザイン性を向上させ、高級感を演出する等のために、腕時計ケース１及び裏蓋６が共に金属等、電波を遮蔽する材料によって形成し、このために、腕時計ケース１側及び裏蓋６側から外部の電波が電波腕時計１００内部に侵入することができにくい構造となっているものの、アンテナ構造体８のコア８１の両端部８１ａ，８１ｂが、電波を遮蔽しない材料によって形成された風防ガラス５に近接した近接部材である文字板１１に形成された挿入部１１ｂに挿入されているので、外部からの電波は、コア８１の両端部８１ａ，８１ｂからアンテナ構造体８における棒状コア部８１Ａに侵入し、それに巻回されたコイル８２に起電力を発生させることができ、このために、電波の受信感度を大幅に向上させることができる。
【００３６】
また、アンテナ構造体は、コアの各端部を結ぶ延長線方向（コア及びコイルの軸方向）の磁界に反応する指向性を有している。すなわち、コイルと磁界とが鎖交する方向が最大感度方向となるため、コアやコイルの軸方向ないしその近傍位置に、腕時計ケースや裏蓋等、金属製の部材が近接して配置されていると、コイルを鎖交する磁界が妨げられてアンテナ構造体の受信感度が低下する。
この点、本実施形態では、前述のように、コア８１の両端部８１ａ，８１ｂを文字板１１の中に挿入されているので、コア８１の両端部８１ａ，８１ｂにおける軸方向ないしその近傍に生じる磁界が腕時計ケース１や裏蓋６等の金属製の部材と干渉せず、アンテナ構造体８における電波の受信感度を向上させることができる。
【００３７】
［第２の実施形態］
次に、図７を参照しつつ、受信装置及び受信装置を備えた電波時計の第２の実施形態を説明する。なお、本実施形態では、第１の実施形態と同様、電波時計として腕時計型の電波腕時計に受信装置を搭載する場合を例とし、以下においては、特に第１の実施形態と異なる点について説明する。
【００３８】
図７は、本実施形態に係る電波腕時計（図示せず）の要部断面図である。
図７に示すように、本実施形態において、腕時計ケース１の内部であってモジュールケース６２と風防ガラス５との間には、第１の実施形態と同様、腕時計ケース１の内周に沿って見切部材６３が配置されている。見切部材６３は、例えば樹脂等の非導電性部材で構成されている。本実施形態において、見切部材６３は、カバー部材としての風防ガラス５に近接して設けられる近接部材である。
【００３９】
見切部材６３には、後述するコア６６の端部６６ａ，６６ｂが挿入される挿入部６３ａが形成されている。また、モジュールケース６２には、内側面から見切部材６３の挿入部６３ａに向かって挿入溝６２ａが形成されている。
【００４０】
また、風防ガラス５の下方に配置された文字板６０の下方には、コア６６とコイル６７とからなるアンテナ構造体６５が配置されている。
【００４１】
コア６６は、全体が腕時計ケース１の内周面に沿ってほぼ円弧状に形成されている。
また、コア６６は、図７に示すように、コア６６の両端部６６ａ，６６ｂが風防ガラス５の設けられている側に向けて斜め上方に折り曲げられた構成となっている。すなわち、コア６６は、図７に示すように、コイル６７が巻きつけられている棒状コア部６６Ａとこの棒状コア部６６Ａから風防ガラス５側に向けて斜め上方に折り曲げられた折り曲げ部６６Ｂとを備えている。そして、コア６６の両端部６６ａ，６６ｂは、モジュールケース６２の挿入溝６２ａを介して見切部材６３の一部に形成されている凹部形状の挿入部６３ａに挿入されている。
【００４２】
本実施形態においては、カバー部材としての風防ガラス５に近接して設けられた近接部材としての見切部材６３と、アンテナ構造体６５とにより受信装置６９が構成されている。
【００４３】
なお、その他の構成は、第１の実施形態で示したものと同様であるため、同一部材には同一の符号を付してその説明を省略する。
【００４４】
次に、本実施形態の作用について説明する。
受信装置６９による標準電波受信時においては、電波の磁界成分が、電波を遮蔽しない材料によって形成された風防ガラス５及び見切部材６３を透過して、見切部材６３の挿入部６３ａに挿入されたコア６６の一方側端部６６ａ（または６６ｂ）からからアンテナ構造体６５に侵入し、コア６６の他方側端部６６ｂ（または６６ａ）へと通過する。これによりコア６６に巻回されたコイル６７に交流電流が誘導され（誘起電流）、これに伴ってコイル６７の両端に交流電圧が発生する。そして、この交流電圧がアナログ受信信号として図示しない受信回路に送られる。
そして、受信回路により、このアナログ受信信号について増幅、復調、デコード等の処理が行われ、デジタルの時刻データが取得される。電波腕時計は、取得された時刻データに基づいて、適宜現在時刻の修正を行う。
【００４５】
以上のように、本実施形態によれば、見切部材６３を介してアンテナ構造体６５のコア６６に電波が侵入するので、デザイン性を向上させ、高級感を演出する等のため、腕時計ケース１及び裏蓋６が金属等、電波を遮蔽する材料によって形成されている場合でも、受信感度を大幅に向上させることができる。
また、このように見切部材６３を介してアンテナ構造体６５のコア６６に電波が侵入するので、例えば文字板６０についても金属等、電波の流れを遮蔽する材料で形成して高級感のある外観とした場合であっても、受信感度を向上させることができる。
【００４６】
なお、本実施形態においては、モジュールケース６２に、挿入溝６２ａを形成する構成を例として示したが、挿入溝６２ａの代わりに、モジュールケース６２の内側の一部に切り欠き部を形成し、この切り欠き部に沿ってコア６６を配置し、端部６６ａ，６６ｂを挿入部６３ａに挿入する構成としてもよい。
【００４７】
また、見切部材６３の挿入部６３ａの形状は、図示例に限定されず、例えば、浅い凹部形状の凹部でもよいし、見切部材６３の上面まで貫通する貫通孔の形状でもよい。
【００４８】
また、例えば、図８に示すように、見切部材７１に挿入部を設けず、コア７３の両端部７３ａ，７３ｂを見切部材７１の下面に接触させる構成としてもよい。この場合にも、カバー部材としての風防ガラス５に近接して設けられた近接部材としての見切部材７１と、コア７３とコイル７４とを備えるアンテナ構造体７２と、により受信装置７５が構成される。
【００４９】
なお、本発明は、前記各実施形態に限定されるものではなく、本発明の技術的思想および目的の範囲から逸脱しない限り、適宜変更可能である。
【００５０】
例えば、本実施形態においては、カバー部材がガラス製の風防ガラス５である場合について説明したが、カバー部材を形成する材料は電波の流れを遮蔽しない材料であればよく、ガラスに限定されない。例えば透明な樹脂等により風防ガラスを形成してもよい。
また、カバー部材は風防ガラスに限定されず、例えば裏蓋であってもよい。この場合には裏蓋を電波の流れを遮蔽しない材料で形成し、コアの両端部が裏蓋に近接する近接部材に接触するようにアンテナ構造体を配置する。
また、例えば受信装置を携帯電話機等、電波時計以外の電子機器に搭載する場合には、ケース（筐体）の蓋部などの一部を電波の流れを遮蔽しない材料で形成されたカバー部材としてもよい。この場合には、電波の流れを遮蔽しない材料であって不透明な樹脂等、透明でない材料でカバー部材を形成してもよい。
【００５１】
また、本実施形態では、腕時計ケース１と裏蓋６とが別体となった構成を例としたが、腕時計ケースと裏蓋とが一体となったワンピース構造となっていてもよい。
【００５２】
また、本実施形態では、文字板１１が樹脂等で形成された単層構造のものを例として説明したが、文字板１１は、単層構造である場合に限定されず、複数の層からなる積層構造でもよい。また、文字板１１を構成する材料は樹脂に限定されず、例えばガラスでもよい。また、文字板１１を透明なガラスや樹脂（プラスチック）などの透光性を有する材料で形成し、文字板１１の裏側に、ソーラーパネル（図示せず）を文字板１１と重ねて設けてもよい。この場合、ソーラーパネルは、電波の流れを遮蔽しない材料（例えば、ポリイミド等）からなるフレキシブル基板により形成される。
【００５３】
また、アンテナ構造体８の形状は、本実施形態に示したものに限定されない。
例えば、本実施形態では、アンテナ構造体８の平面形状がほぼ円弧状である場合を例として説明したが、コア８１の一方端部８１ａから他方端部８１ｂまでほぼ直線状に延びる形状のアンテナ構造体でもよい。また、コア８１の中間部が円弧状に形成され、両端部が直線状となる形状のアンテナ構造体でもよい。
また、アンテナ構造体８のコア８１の両端部８１ａ，８１ｂが文字板１１に向かって折り曲げられる角度、形状等は、本実施形態の図示例に限定されない。
【００５４】
さらに、本実施形態では、アンテナ構造体８を電波腕時計１００の１２時方向に配置した例について説明したが、アンテナ構造体８を配置する位置及び向き等はこれに限定されない。
【００５５】
また、本実施形態では、コア８１の両端部８１ａ，８１ｂが文字板１１の１時を示す時字部材１１ａと１１時を示す時字部材１１ａに対応する位置に形成された挿入部１１ｂにそれぞれ挿入される場合を例として説明したが、コア８１の両端部８１ａ，８１ｂが挿入される挿入部１１ｂの位置はこれに限定されない。
例えば、コア８１の両端部８１ａ，８１ｂが挿入される挿入部１１ｂは、時字部材１１ａが設けられている位置に対応しない任意の位置に設けられてもよい。例えば、文字板１１を貫通する挿入部１１ｂを設けて、挿入部１１ｂに挿入されたコア８１の両端部８１ａ，８１ｂが文字板１１の表面から突出するように構成してもよい。
また、本実施形態では、挿入部１１ｂが時字部材１１ａの裏面に到達している場合を例としたが、例えば、図９（ａ）に示すように、挿入部２２が時字部材２１の裏面まで到達せず、文字板２０の厚みの半分程度の深さに形成され、ここにコア８１の端部８１ａ，８１ｂが挿入されていてもよい。
さらに、例えば、図９（ｂ）に示すように、文字板２５に挿入部を形成せず、コア８１の端部８１ａ，８１ｂが単に文字板２５の裏面であって時字部材２１に対応する位置に接触するように構成してもよい。この場合でも磁性部材で形成されている時字部材２１に集まった電波の磁束をコア８１の端部８１ａ，８１ｂからより多くの電波が侵入し、コイルにより効率的に誘起電流を生じさせることができる。
なお、コア８１の端部８１ａ，８１ｂを単に文字板２５の裏面であって時字部材２１の設けられていない部分に接触するように設けてもよい。この場合には、アンテナ構造体の配置の自由度が向上する。また、この場合でも、非導電性の部材に近接する近接部材（文字板２５）にコア８１の端部８１ａ，８１ｂを接触させることによりアンテナ構造体の受信感度を向上させることができる。
【００５６】
また、文字板をコアと同様の磁性材料で形成し、これにアンテナ構造体のコアを接触させてもよい。この場合には、図１０及び図１１（ａ）に示すように、文字板を左側文字板３０ａと右側文字板３０ｂとで構成し、それぞれの表面に時字３１を形成するとともに、１時を示す時字３１と１１時を示す時字３１に対応する位置には、時字３１の裏面側に到達する挿入部３５をそれぞれ形成する。そして、アンテナ構造体３２のコア３４の両端部３４ａ，３４ｂをそれぞれ挿入部３５に挿入する。これにより、コア３４の両端部３４ａ，３４ｂからより多くの電波が侵入し、コイル３３により効率的に誘起電流を生じさせることができる。
【００５７】
さらに、図１１（ｂ）に示すように、文字板４０を上下２層で構成し、例えば、図示しない風防ガラスに対向する側（上側）に設けられる第１層４２を磁性部材で形成し、下側に設けられる第２層４１を樹脂等の非導電性部材で形成してもよい。この場合には、図１１（ｂ）に示すように、第１層を左側第１層４２ａと右側第１層４２ｂとで構成し、各第１層４２ａ，４２ｂの表面に時字４３を設けるとともに、この時字４３のうち、１時を示す時字４３と１１時を示す時字４３に対応する第２層４１の部分には、時字４３の裏面側に到達する貫通孔４４をそれぞれ形成する。そして、アンテナ構造体４５のコア４６の両端部４６ａ，４６ｂをそれぞれ貫通孔４４に挿入する。これにより、コア４６の両端部４６ａ，４６ｂからより多くの電波が侵入し、コイル４７により効率的に誘起電流を生じさせることができる。
【００５８】
さらに、文字板及びこれに配置される時字部材は、図３、図５等に示したものに限定されない。ここで、文字板及びこれに配置される時字部材の一変形例について説明する。
図１２は、文字板及び時字部材の変形例を示す電波腕時計（図示せず）の要部断面図であり、図１３（ａ）は、図１２に示す文字板の一例を示す分解斜視図であり、図１３（ｂ）は、図１３（ａ）に示す時字部材の拡大図、図１３（ｃ）は、文字板及び時字部材とコアの端部との接触状態を示した要部の拡大断面図である。
【００５９】
図１２に示すように、この変形例において、電波腕時計は、カバー部材としての風防ガラス５に近接して設けられた近接部材としての文字板５１と、アンテナ構造体５５とを備えて構成される受信装置５０を備えている。
【００６０】
また、図１３（ａ）に示すように、この変形例において、文字板５１は、文字板本体５２と、文字板本体５２上に配置される時字部材５３と、を備えている。文字板本体５２のほぼ中央部には軸孔５２ｂが設けられており、文字板本体５２の周縁部には、時計の１時から１２時に対応する位置に時字部材５３を固定する貫通孔５２ａが２つずつ１２対ほぼ等間隔に形成されている。
【００６１】
時字部材５３は、例えばフェライト、アモルファスのような透磁率または比透磁率が高い磁性材料で形成された磁性部材である。時字部材５３は、図１３（ａ）及び図１３（ｂ）に示すように、文字板本体５２に取り付けられる側に２本の脚部５４，５４を有している。脚部５４，５４は、文字板本体５２の厚みとほぼ等しい長さに形成されており、時字部材５３は、図１３（ｃ）に示すように、脚部５４，５４を貫通孔５２ａに挿入することにより文字板本体５２上に固定される。
【００６２】
図１２に示すように、この変形例において、文字板５１の裏面側（図１３（ａ）において下側の面）にはアンテナ構造体５５が設けられている。アンテナ構造体５５は、例えばコア５６の両端部５６ａ，５６ｂが、時字部材５３の配置されている位置に対応する位置にくるように配置されている。コア５６の端部５６ａ，５６ｂの先端は、図１３（ｂ）及び図１３（ｃ）に示すように、それぞれ、貫通孔５２に挿入され文字板５１の裏面側に露出した時字部材５３の脚部５４，５４の端面に接触するようになっている。
【００６３】
このように、本実施形態によれば、アンテナ構造体５５のコア５６の両端部５６ａ，５６ｂが電波を遮蔽しない材料によって形成された風防ガラス５に近接した近接部材である文字板５１に接触し、文字板５１に形成された貫通孔５２ａに挿入されている。このため、例えば電波腕時計のデザイン性を向上させ、高級感を演出する等のため、腕時計ケース及び裏蓋を金属等、電波を遮蔽する材料によって形成した場合でも、電波はコア５６の両端部５６ａ，５６ｂからアンテナ構造体５５に侵入することができ、受信感度を向上させることができる。
【００６４】
また、本実施形態では、コア５６の両端部５６ａ，５６ｂを、磁性部材で形成された時字部材５３に接触させているので、より電波をコア５６に侵入しやすくすることができ、アンテナ構造体５５における電波の受信感度を向上させることができる。
【００６５】
なお、本実施形態においては、時字部材５３が棒状の２本の脚部５４，５４によって文字板本体５２に固定されている例を示したが、時字部材５３を文字板本体５２に固定する脚部の形状はこれに限定されない。例えば、矩形の脚部を１つ設ける構成としてもよい。
【００６６】
また、本実施形態においては、文字板本体５２に貫通孔５２ａを設けて、時字部材５３の脚部５４，５４を文字板本体５２に貫通させるようにしたが、時字部材５３を文字板本体５２に固定する手法はこれに限定されない。
【００６７】
また、コア５６の両端部５６ａ，５６ｂを接触させる部分はここに例示した位置に限定されない。コア５６の両端部５６ａ，５６ｂを文字板の５１の裏面であって時字部材５３の設けられている位置とは異なる位置に接触させてもよい。
【００６８】
また、コア５６の両端部５６ａ，５６ｂを接触させる磁性部材は時字部材５３に限定されず、例えば文字板上に磁性部材で形成された装飾部材等を設け、これにコア５６の両端部５６ａ，５６ｂを接触させてもよい。
【００６９】
さらに、本実施形態では、腕時計ケース１は、全体がステンレスやチタン等の金属で形成されている場合を例として説明したが、腕時計ケース１を形成する材料はこれに限定されない。例えば、腕時計ケースは、プラスチックケースの表面にステンレスやチタン等の金属製カバーを取り付けて構成されたものでもよい。さらに、腕時計ケースは、合成樹脂やセラミックなどの非導電性材料で構成してもよく、さらにはこれらプラスチック等にメタリック塗装などの表面処理を施して金属層を形成したもので構成してもよい。
【００７０】
さらに、受信装置８０によって受信する無線情報は、時刻情報を含む長波標準電波に限定されない。例えば、時刻情報を受信する場合でも、その無線信号としては、３００ＭＨｚ帯の微弱電波無線、４００ＭＨｚ帯の特定小電力無線、２．４ＧＨｚ帯のBluetooth(ブルートゥース）等を利用してもよい。これらの無線信号は周波数が高いため、これらを受信する受信装置の場合には、コイルの巻回数を少なくすることができ、アンテナ構造体を小型軽量化することができる。
【００７１】
さらに、受信装置８０によって受信する無線情報は、時刻情報に限定されない。例えば、時計１内にＩＣカード機能を内蔵させ、電車の定期券や各種プリペイドＩＣカードのような情報を送受信するために利用してもよい。例えば、外装ケース内にＩＣチップとアンテナ等を組み込み、ＩＣカードを用いた改札機や入退室管理機、各種の課金支払機等に腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明の外装ケースに内蔵されるアンテナとしては、標準電波を受信する場合のような受信専用に用いるものでもよいし、非接触ＩＣを用いたタグのように、情報を送受信するために用いてもよいし、さらには送信専用に用いてもよく、これらは本発明を適用する電子時計つまりはアンテナ内蔵式電子機器の種類に応じて適宜選択すればよい。
【００７２】
また、アンテナ構造体は、ループアンテナに限らず、誘導体アンテナ等の他の構成のものを用いてもよく、これらは送信あるいは受信する無線情報の種類等に応じて適宜選択可能である。
【００７３】
また、本実施形態においては、受信装置８０が電波腕時計１００に搭載される場合を例として説明したが、本発明の受信装置は電波腕時計以外にも適用可能であり、例えば、トラベルウオッチ、目覚まし時計、置き時計、掛け時計などの各種の時計に広く適用することができる。また、本実施形態では、電波腕時計１００が指針１４を備えたアナログ式の時計である場合を例としたが、電波腕時計はこれに限らず、液晶パネルを備えたデジタル式のものや、アナログ式とデジタル式とを組み合わせたものであってもよい。
さらに、本発明の受信装置は時計以外ものに搭載されてもよい。例えば、本発明の受信装置は、携帯電話機、ＰＤＡ等の携帯端末、その他各種の電子機器に搭載することが可能である。
【００７４】
その他、本発明が上記実施形態に限らず適宜変更可能であるのは勿論である。
【図面の簡単な説明】
【００７５】
【図１】本発明の第１の実施形態に係る受信装置を搭載した電子腕時計の概略構成を示す正面図である。
【図２】図１のII−II線断面図である。
【図３】図１のIII−III線断面図である。
【図４】図１に示す電波腕時計の分解斜視図である。
【図５】図１に示す文字板及び時字部材とアンテナ構造体との位置関係を示す分解斜視図である。
【図６】文字板とコアの端部との接触状態を示した要部の拡大断面図である。
【図７】本発明の第２の実施形態に係る受信装置を搭載した電子腕時計の要部断面図である。
【図８】図７に示す受信装置の一変形例を示した要部断面図である。
【図９】（ａ）及び（ｂ）は、文字板とコアの端部との接触状態の変形例を示した要部の拡大断面図である。
【図１０】図１に示す電子腕時計における文字板の変形例を示した電子腕時計の正面図である。
【図１１】（ａ）は、図１０に示す電波腕時計に搭載された受信装置の要部断面図であり、（ｂ）は、（ａ）の変形例を示す要部断面図である。
【図１２】図１に示す電子腕時計の変形例を示した電子腕時計の要部構成を示す断面図である。
【図１３】（ａ）は、図１２に示す電子腕時計を構成する文字板の他の変形例を示す分解斜視図であり、（ｂ）は、（ａ）に示した時字部材とコアとの接触を説明する説明図であり、（ｃ）は、（ａ）に示した時字部材と文字板とコアとの接触部分を拡大した要部拡大断面図である。
【符号の説明】
【００７６】
１  腕時計ケース
５  風防ガラス
６  裏蓋
７  モジュールケース
８  アンテナ構造体
９  回路基板
１０  見切部材
１１  文字板
１１ｂ  挿入部
３０ａ  左側文字板
３０ｂ  右側文字板
５３  時字部材
６２  モジュールケース
６２ａ  挿入溝
６３  見切部材
６３ａ  挿入部
８０  受信装置
８１  コア
８１ａ，８１ｂ  両端部
８２  コイル
１００  電波腕時計
【図１】
2008298585.tif 000003
【図２】
2008298585.tif 000004
【図３】
2008298585.tif 000005
【図４】
2008298585.tif 000006
【図５】
2008298585.tif 000007
【図６】
2008298585.tif 000008
【図７】
2008298585.tif 000009
【図８】
2008298585.tif 000010
【図９】
2008298585.tif 000011
【図１０】
2008298585.tif 000012
【図１１】
2008298585.tif 000013
【図１２】
2008298585.tif 000014
【図１３】
2008298585.tif 000015